(57)【要約】【課題】基材１１に形成したＶ字溝１１ａ，１１ｂに沿って表面材１２が割れるのを防止したコーナー用造作部材１０及びその梱包方法を提供すること。【解決方法】Ｖ字溝１１ａ，１１ｂの表面側に貼着したテープ１４によって表面材１２のＶ字溝１１ａ，１１ｂの頂角部に沿った部位を補強する。裏面に貼着したテープ１３によってＶ字溝１１ａ，１１ｂが拡開する方向に造作部材１０が折れ曲がるのを防止する。これにより保管時や配送時あるいは施工時に表面材１２がＶ字溝１１ａ，１１ｂの頂角部に沿って割れるのを防止する。２枚の造作部材１０の表面同士を重ね、ストレッチフィルムを巻回して一体に接合する。【選択図】図２
2008297747.tif 000002
【特許請求の範囲】
【請求項１】
基材の表面に可撓性を有する表面材を貼着し、基材の裏面に断面Ｖ字形のＶ字溝をその頂角部が表面材に達するように形成し、該Ｖ字溝の対向する斜面同士が接合するように折り曲げて出隅の表面に被着されるコーナー用造作部材であって、
基材の裏面にＶ字溝を覆うようにテープを貼着するとともに、前記出隅に被着する際に剥離されるテープを前記Ｖ字溝を覆うように表面材の表面に貼着したことを特徴とするコーナー用造作部材。
【請求項２】
基材の表面に可撓性を有する表面材を貼着し、基材の裏面に断面Ｖ字形のＶ字溝をその頂角部が表面材に達するように形成し、該Ｖ字溝の対向する斜面同士が接合するように折り曲げて出隅の表面に被着されるコーナー用造作部材の梱包方法であって、
基材の裏面にＶ字溝を覆うようにテープを貼着するとともに、前記出隅に被着する際に剥離されるテープを前記Ｖ字溝を覆うように表面材の表面に貼着したコーナー用造作部材を複数枚重ね合わせ、重ね合わせた複数枚のコーナー用造作部材にストレッチフィルムを巻回して一体に接合したことを特徴とするコーナー用造作部材の梱包方法。
【請求項３】
表面材の裏面に貼着したテープが重なり合うように２枚のコーナー用造作部材を重ね合わせてストレッチフィルムを巻回したことを特徴とする請求項２に記載のコーナー用造作部材の梱包方法。
【発明の詳細な説明】
【技術分野】
【０００１】
本発明は、巾木や廻り縁として出隅の表面を被覆するように固着されるコーナー用造作部材及びその梱包方法に関する。
【背景技術】
【０００２】
この種のコーナー用造作部材の一形式として、特開２００４−１１６００３号公報には基材の表面に可撓性を有する表面材を貼着し、基材の裏面に断面Ｖ字形のＶ字溝をその頂角部が表面材に達するように形成したコーナー用造作部材が開示されている。
このコーナー用造作部材はＶ字溝から折り曲げ、出隅の表面を覆うように固着して用いられる。このコーナー用造作部材を用いることにより出隅の意匠に高級感をもたせることができる。
【特許文献１】特開２００４−１１６００３号公報
【発明の開示】
【発明が解決しようとする課題】
【０００３】
ところで、上記したコーナー用造作部材は施工時にＶ字溝から折り曲げて出隅部に装着されるが、保管時や配送時はＶ字溝から折り曲げることなく板状のまま積層して梱包される。しかし、このＶ字溝は頂角部が表面材に達するまでの深さに形成されているため、梱包して配送するときの振動や、施工現場で梱包を解いて施工する際の取扱の不手際でＶ字溝の頂角部にそって表面材が割れ易く、一旦割れると使用できなくなる。また、施工時にＶ字形に折り曲げて出隅に装着し、タッカーを用いて出隅に固定する際、タッカーから排出される加圧エアーの勢いでＶ字溝に沿って表面材が割れることもある。
【０００４】
本発明はかかる問題点に鑑み、基材に形成したＶ字溝に沿って表面材が割れるのを防止したコーナー用造作部材及びその梱包方法を提供することを目的とする。
【課題を解決するための手段】
【０００５】
上記目的を達成するため、請求項１に記載の発明は、基材の表面に可撓性を有する表面材を貼着し、基材の裏面に断面Ｖ字形のＶ字溝をその頂角部が表面材に達するように形成し、該Ｖ字溝の対向する斜面同士が接合するように折り曲げて出隅の表面に被着されるコーナー用造作部材であって、
基材の裏面にＶ字溝を覆うようにテープを貼着するとともに、前記出隅に被着する際に剥離されるテープを前記Ｖ字溝を覆うように表面材の表面に貼着したことを特徴とする。
【０００６】
請求項２に記載の発明は、基材の表面に可撓性を有する表面材を貼着し、基材の裏面に断面Ｖ字形のＶ字溝をその頂角部が表面材に達するように形成し、該Ｖ字溝の対向する斜面同士が接合するように折り曲げて出隅の表面に被着されるコーナー用造作部材の梱包方法であって、
基材の裏面にＶ字溝を覆うようにテープを貼着するとともに、前記出隅に被着する際に剥離されるテープを前記Ｖ字溝を覆うように表面材の表面に貼着したコーナー用造作部材を複数枚重ね合わせ、重ね合わせた複数枚のコーナー用造作部材にストレッチフィルムを巻回して一体に接合したことを特徴とする。
【０００７】
請求項３に記載の発明は請求項２に記載のコーナー用造作部材の梱包方法において、表面材の裏面に貼着したテープが重なり合うように２枚のコーナー用造作部材を重ね合わせてストレッチフィルムを巻回したことを特徴とする。
【発明の効果】
【０００８】
請求項１に記載の発明に係るコーナー用造作部材を出隅に装着するには表裏両面のテープを貼着したままＶ字溝から折り曲げて出隅に固着する。出隅に固着した後、表面のテープを剥離する。
本発明によれば、Ｖ字溝の表面側に貼着したテープによって表面材のＶ字溝頂角部に沿った部位が補強される。また、基材の裏面に貼着したテープによってＶ字溝が拡開する方向に造作部材が折れ曲がるのを防止できる。このため、保管時や配送時に加わる振動や衝撃によって、あるいは施工時にタッカーから加わる衝撃や振動によって表面材がＶ字溝の頂角部に沿って割れるのを防止できる。
【０００９】
請求項２に記載の発明によれば、表面材におけるＶ字溝頂角部に沿った部位が造作部材の表面に貼着したテープで補強され、造作部材裏面に貼着したテープでＶ字溝が拡開する方向に折れ曲がるのを防止できる。加えて、造作部材同士を重ね合わせてストレッチフィルムで一体に接合するので、各造作部材がＶ字溝から折れ曲がり難くなる。そのため、保管時や配送時に表面材が割れるのをより効果的に防止できる。
【００１０】
請求項３に記載の発明によれば、２枚の造作部材が相互に補強し合うので、より一層Ｖ字溝から拡開方向へ折れ曲がるのを防止できる。そのため、保管時や配送時における表面材の割れをより確実に防止できる。
【実施例】
【００１１】
以下に本発明の実施例を図面に基づき説明する。図１及び図２には本発明の実施例に係るコーナー用造作部材１０が示されている。当該コーナー用造作部材１０は巾木や廻縁として用いられるもので、木質基材１１と基材１１の表面に接着剤で接着した表面材１２から構成されている。表面材１２には化粧シートが使用されている。
【００１２】
木質基材１１の裏面中央部には断面形状がＶ字形のＶ字溝１１ａ，１１ｂが２本縦方向に沿って形成されている。そして、２本のＶ字溝１１ａ，１１ｂを覆うように透明ビニールテープ１３が基材１１の裏面に貼着されている。
【００１３】
一方、表面材１２の表面には表側からＶ字溝を覆うようにテープ１４が貼着されている。このテープ１４は剥離したとき表面材１２にテープ１４の一部が付着して残ったり、表面材１４を傷付けるおそれのない材質のものが用いられている。本実施例では車両塗装用に用いられるクレープマスキングテープを用いている。クレープマスキングテープはテープ基材にクレープ紙を使用し、クレープにゴム系粘着剤を塗布して構成されている。
【００１４】
本実施例に係るコーナー用造作部材１０の構造は以上の通りであって、次にその梱包方法を説明する。図３に示すように、表裏両面にテープ１３，１４を貼着した２枚のコーナー用造作部材１０を裏面のテープ１４同士が重なるように重ね合わせる。次に、図４に示すように、裏面を重ね合わせた２枚のコーナー用造作部材１０を２組重ね合わせる。そして、図５に示すように４枚の重ね合わせたコーナー用造作部材１０にストレッチフィルム１５を巻回して接合し、図６に示す段ボールケース１６に収納する。
【００１５】
本実施例に係るコーナー用造作部材の施工方法を図７に示す。梱包を解いた造作部材１０は両面にテープ１３，１４を貼着したまま、裏面に接着剤を塗布する。そして、Ｖ字溝１１ａ，１１ｂの側面同士が接合するように表面材１２を撓めながら折り曲げ、折り曲げた造作部材１０を出隅１７の表面に被せて接着剤とステープラで出隅に固定する。そして、出隅に固定した後、表面のテープ１４を剥離する。
【００１６】
以上説明したように、本実施例に係るコーナー用造作部材１０は、Ｖ字溝１１ａ，１１ｂの表面側に貼着したテープ１４によって表面材１２のＶ字溝１１ａ，１１ｂの頂角部に沿った部位が補強される。また、裏面に貼着したテープ１３によってＶ字溝１１ａ，１１ｂが拡開する方向に造作部材１０が折れ曲がるのを防止できる。このため、保管時や配送時あるいは施工時に表面材１２がＶ字溝１１ａ，１１ｂの頂角部に沿って割れるのを防止できる。
【００１７】
また、梱包する際に造作部材１０同士を重ね合わせてストレッチフィルム１５で一体に接合するので、各造作部材１０がＶ字溝１１ａ，１１ｂから折れ曲がり難くなる。そのため、保管時や配送時に表面材１２が割れるのをより効果的に防止できる。
【００１８】
さらにまた、２枚の造作部材１０の表面同士を重ねて梱包するので、一層Ｖ字溝１１ａ，１１ｂから拡開方向へ折れ曲がるのを防止できる。そのため、保管時や配送時における表面材１２の割れをより確実に防止できる。
【００１９】
なお、本実施例に係るコーナー用造作部材１０では表面材１２に合成樹脂製あるいは紙製の化粧シート１２を用いたが、突き板や単板を使用すればより高級感を保たせることができる。また、基材１１の２箇所にＶ字溝１１ａ，１１ｂを形成したが、出隅１７の断面形状に合わせて３箇所以上にＶ字溝を形成することもある。
【図面の簡単な説明】
【００２０】
【図１】本発明の一実施例に係るコーナー用造作部材を表側から見た斜視図である。
【図２】同コーナー用造作部材を裏側から見た斜視図である。
【図３】重ね合わせた２枚のコーナー用造作部材を示す斜視図である。
【図４】重ね合わせた４枚のコーナー用造作部材を示す斜視図である。
【図５】４枚を重ね合わせてストレッチフィルムを巻回したコーナー用造作部材を示す斜視図である。
【図６】４枚のコーナー用造作部材を収納する段ボール製ケースを示す斜視図である。
【図７】コーナー用造作部材の施工方法を示す説明図である。
【符号の説明】
【００２１】
１０…コーナー用造作部材
１１…木質基材
１１ａ，１１ｂ…Ｖ字溝
１２…表面材
１３，１４…テープ
１５…ストレッチフィルム
【図１】
2008297747.tif 000003
【図２】
2008297747.tif 000004
【図３】
2008297747.tif 000005
【図４】
2008297747.tif 000006
【図５】
2008297747.tif 000007
【図６】
2008297747.tif 000008
【図７】
2008297747.tif 000009